(57)【特許請求の範囲】
【請求項１】
本体を含み、前記本体の上面にはカプセル保存箱が固定的に設置され、前記カプセル保存箱の右側には錠剤保存箱が設置され、前記本体の下端外表面にはフレームが固定的に設置され、前記フレームの中には薬取り空間が設置され、前記薬取り空間の中には漏斗が設置され、前記漏斗は前記カプセル保存箱の下端外表面に固定的に装着され、前記カプセル保存箱の中には上方に開口するカプセル保存空間が設置され、前記カプセル保存空間の左下端にはカプセル投入口が設置され、前記カプセル投入口からはカプセル一つしか通過できなく、前記カプセル保存空間の下方には前記本体の内部に位置する伝動空間が設置され、前記カプセル保存箱の左側にはカプセル搬送管が貫通になるように設置され、前記カプセル搬送管は前記カプセル投入口を通じて前記カプセル保存空間と連通し、前記カプセル搬送管は前記本体を貫通して前記薬取り空間と前記カプセル保存空間とを連通し、前記本体の左上端外表面には前記カプセル搬送管の外面と密着するエアポンプが固定的に設置され、前記エアポンプはカプセルの投入を補助でき、前記カプセル搬送管の左側外面と前記エアポンプとは密着し、かつ前記カプセル搬送管において前記エアポンプとの接触部には貫通穴が貫通になるように設置され、前記カプセル搬送管の右側には第一活動空間が設置され、前記第一活動空間の中には定量にカプセルを投入できるカプセル定量投入機構が固定的に設置され、前記カプセル定量投入機構は回転可能な第一旋転軸を含み、前記第一旋転軸には第一引掛溝が上下配列になるように形成され、前記第一旋転軸の外面には第一軸スリーブが摺動可能に設置され、前記第一軸スリーブの上端外面には第一カムが固定的に設置され、前記第一軸スリーブの下側には第二カムが設置され、前記第二カムは前記第一旋転軸の外面に固定的に装着され、前記カプセル搬送管には前記漏斗に近接する一端から上方へ第一隙間が上下配列になるように設置され、前記第一カムは前記第一隙間を通過でき、前記第二カムはそれとは別の前記第一隙間を通過でき、前記第二カムの下側には前記第一旋転軸の外面に固定的に装着された第一歯車が固定的に装着され、前記第一歯車の右側には設備全体の作業モードを切り替えることができる第一切替装置が設置され、前記第一切替装置の右側にはモータ伝動機構が設置され、前記モータ伝動機構は第二歯車を含み、前記第二歯車の右側には第三歯車が噛み合い、前記第三歯車は回転可能な第二旋転軸に固定的に装着され、前記第二旋転軸は前記カプセル保存空間の中に延在し、前記第二旋転軸の上端外面にはカプセル回転盤が固定的に設置され、前記カプセル回転盤は前記カプセル保存空間の内部下端に位置し、
前記カプセル保存空間にカプセルは入れられ、前記第二旋転軸が回転して前記カプセル回転盤を駆動して回転させ、遠心力でカプセルは前記カプセル回転盤の縁部に移動し、前記エアポンプは断続的に作動し、カプセルを一つ前記カプセル投入口から吸い取って前記貫通穴と密着させ、そして前記エアポンプは一時的に止め、カプセルは前記カプセル搬送管の下端に落下し、前記第二カムに止められ、そしてカプセルが一つ一つ前記カプセル搬送管の中で重なり、カプセルの投入を可能とし、
前記カプセル定量投入機構はさらに引掛ピンを含み、前記引掛ピンは前記第一軸スリーブの中で左右に摺動でき、前記引掛ピンの右側には第一ばねが固定的に設置され、前記引掛ピンの左端は前記第一引掛溝と密着し、前記引掛ピンと前記第一引掛溝との密着状態及び前記引掛ピンが前記第一ばねに対する圧迫によって、前記第一軸スリーブは前記第一旋転軸に沿って上下に摺動でき、摺動中に前記引掛ピンの左端は前記第一旋転軸の外面と密着し、前記第一ばねは圧縮され、前記引掛ピンが前記第一引掛溝の中に入った時、前記引掛ピンと前記第一引掛溝との引掛りによる連結で、前記第一軸スリーブは前記第一旋転軸とともに回転し、前記第二カムにはカプセルが重ね、前記カプセル搬送管に上下配列された前記第一隙間の間の距離はカプセル一つの高度と丁度対応し、前記引掛ピンが最も下にあるの前記第一引掛溝に引っ掛かるとき、前記第一旋転軸が半周回転し、前記第二カムを最も下にある前記第一隙間から離脱させ、そして前記第一カムは下方からの二番目の前記第一隙間に入り、一つのカプセルは前記カプセル搬送管の下端口から前記薬取り空間の中に落下し、他のカプセルは前記第一カムの上方に堆積し、前記第一旋転軸は引き続き半周回転し、前記第二カムは最も下にある前記第一隙間に入り、前記第一カムは下方からの二番目の前記第一隙間から離脱し、カプセルは引き続き前記第二カムの上方に堆積し、カプセルに対する堆積を可能にし、そして、前記カプセル定量投入機構を調整して前記引掛ピンを下方からの二番目の前記第一引掛溝に引っかからせるとき、上記操作を繰り返し、前記第二カムは最も下にある前記第一隙間から離脱し、前記第一カムは下方からの三番目の前記第一隙間に入り、二つのカプセルは前記カプセル搬送管の下端口から前記薬取り空間の中に落下し、このように前記カプセル定量投入機構の位置を調節することで、前記第一旋転軸が一回の回転で落下させるカプセルの数を制御し、カプセルに対する定量投入を可能にすることを特徴とする薬を定時に提供できる薬箱。
【請求項２】
前記第一切替装置は前記第一歯車と噛み合った小型歯車と、前記第一活動空間の下端内壁に固定的に装着された第一固定ブロックとを含み、前記第一固定ブロックの中には昇降空間が設置され、前記昇降空間の前端には前記第一活動空間と連通する第一摺動空間が設置され、前記昇降空間の中には上下摺動可能な昇降ブロックが設置され、前記昇降ブロックには回転可能な第一旋転棒が設置され、前記小型歯車は前記第一旋転棒の上端外面に固定的に設置され、前記第一摺動空間の中には前後移動可能な支持棒が設置され、前記第一活動空間の前端には外部と連通する摺動空間が設置され、前記支持棒は前記摺動空間から外部まで延在し、前記摺動空間の下方には前記本体の中に位置する固定空間が設置され、前記固定空間の中には支持棒固定ブロックが固定的に設置され、前記支持棒固定ブロックは前記摺動空間の下端外面に装着され、
前記支持棒固定ブロックが前記固定空間の後壁と密着するときに、前記支持棒が後方へ移動して前記昇降ブロックを押し上げ、そして前記昇降ブロックは前記昇降空間の上壁と密着し、前記小型歯車は前記第一歯車と噛み合い、前記支持棒固定ブロックが前記固定空間の前壁と密着するときに、前記小型歯車は前記第一歯車との噛合状態から離脱し、前記第一切替装置を通じて前記第一切替装置の両側にある歯車を連結して伝動させる又は離脱させて伝動させないことができ、前記第一切替装置と完全一致な構成を有する装置は設備全体においてさらにもう二つあり、それぞれは第二切替装置と第三切替装置であることを特徴とする請求項１に記載の薬を定時に提供できる薬箱。
【請求項３】
前記モータ伝動機構はさらに前記第一活動空間の中に固定的に設置されたモータを含み、前記モータの下方には回転可能なモータ主軸が設置され、前記第二歯車は前記モータ主軸に固定的に装着され、前記第一歯車が前記小型歯車と噛み合うとき、前記モータが作動して前記第一旋転軸と前記第二旋転軸とを回転させ、設備にカプセルに対する堆積と投入作業を行わせることを特徴とする請求項１に記載の薬を定時に提供できる薬箱。
【請求項４】
前記錠剤保存箱の中には錠剤を保存できる錠剤保存空間が設置され、前記錠剤保存空間の下方には前記本体の中に装着された第二昇降空間が設置され、前記錠剤保存空間の中には前記錠剤保存空間の下側内壁と密着する錠剤昇降ブロックが設置され、前記錠剤昇降ブロックの下方には連結棒が固定的に設置され、前記連結棒は前記錠剤保存箱の下側内壁を貫通して前記第二昇降空間に延在し、前記連結棒の下端には昇降板が固定的に設置され、前記昇降板は前記第二昇降空間の内壁と密着してかつ上下方向にしか摺動できなく、前記昇降板の下方には前記昇降板を支持できる第三カムが設置され、前記第三カムは回転可能な第二旋転棒の後端外面に固定的に装着され、前記第二旋転棒は前記第二昇降空間の前側内壁に設置され、前記第三カムの前側には前記第二旋転棒の外面に固定的に装着された第六歯車が設置され、前記第六歯車の左側には回転可能な第三旋転軸が設置され、前記第三旋転軸は前記第二昇降空間の下端内壁に装着され、前記第三旋転軸の上端外面には前記第六歯車と噛み合った第七歯車が固定的に設置され、前記第七歯車の下方には前記第三旋転軸の外面に固定的に装着された第一プーリが設置されていることを特徴とする請求項１に記載の薬を定時に提供できる薬箱。
【請求項５】
前記伝動空間の中には前記第二旋転軸の上側外面に固定的に装着された第五歯車が設置され、前記第五歯車の右側には前記伝動空間の下端内壁に固定的に装着された前記第二切替装置が設置され、前記第二切替装置の右前側には前記第三切替装置が設置され、前記第三切替装置は回転可能な第四旋転軸の上側外面に固定的に装着され、前記第四旋転軸の下端外面には第二プーリが固定的に設置され、前記第二プーリは第一ベルトで前記第三旋転軸との伝動を可能にし、前記第三切替装置の上方には前記第四旋転軸の上端外面に固定的に装着された第一傘歯車が設置され、前記第一傘歯車の右側には回転盤が噛み合うように設置され、前記回転盤は回転可能な回転盤回転軸の後側外端面に固定的に装着され、前記回転盤回転軸は前記伝動空間の前側内壁に固定的に装着され、前記回転盤の後側外端面には前記回転盤回転軸を円心に円周になるよう配置された小型円柱が固定的に設置されていることを特徴とする請求項１に記載の薬を定時に提供できる薬箱。
【請求項６】
前記錠剤保存空間には錠剤投入口が貫通になるように、かつ固定的に設置され、前記錠剤投入口からは錠剤一枚しか通過できなく、前記錠剤保存箱の左側には錠剤投入管が貫通になるように、かつ固定的に設置され、前記錠剤投入管の一端は前記錠剤投入口と正対し、かつ前記錠剤投入口を通じて前記錠剤保存空間と連通し、前記錠剤投入管の下方には搬送円盤が設置され、前記搬送円盤は回転可能な円盤回転軸の外面に固定的に装着され、前記円盤回転軸は前記本体の中に装着され、前記搬送円盤には前記円盤回転軸を円心に六つの錠剤溝が円周になるように形成され、かつ前記錠剤溝には錠剤一枚しか収納できなく、前記搬送円盤の下方には前記薬取り空間と連通する錠剤搬送管が固定的に設置され、前記搬送円盤の左側には第二固定ブロックが固定的に設置され、前記第二固定ブロックは錠剤の落下を防止でき、前記第二固定ブロックは前記伝動空間の下端内壁に固定的に装着され、前記錠剤投入管の左側には前記搬送円盤の外面と密着する揺動ブロックが設置され、前記揺動ブロックは回転可能な円棒の外面に固定的に装着され、前記円棒は前記伝動空間の前側内壁に固定的に装着され、前記揺動ブロックの左側外面には揺動アームが固定的に設置され、前記揺動アームは前記回転盤の後側に位置し、
前記回転盤が回転する時、前記小型円柱は駆動されて回転し、前記揺動アームに衝突し、そして前記揺動ブロックは前記揺動アームを円心に揺れ動き、前記揺動ブロックが揺れ動くことで前記搬送円盤を回転させ、そして前記錠剤溝の中にある錠剤を前記錠剤搬送管に送ることを特徴とする請求項１に記載の薬を定時に提供できる薬箱。
【請求項７】
前記錠剤搬送管の右側には第二活動空間が設置され、前記第二活動空間の中には回転可能な第五旋転軸が設置され、前記第五旋転軸は前記第二活動空間の下端内壁に装着され、前記第五旋転軸には第二引掛溝が下方から上方へと配列され、前記第五旋転軸の下側外面には第二軸スリーブが設置され、前記第二軸スリーブは前記第五旋転軸に沿って上下に摺動でき、前記第二軸スリーブの上端外面には第四カムが固定的に設置され、前記第二軸スリーブの内部下側には第二ばね空間が設置され、前記第二ばね空間の右側内壁には第二ばねが固定的に設置され、前記第二ばねの左端には第二引掛ピンが固定的に設置され、前記第二軸スリーブの下方には前記第二引掛溝の外面に固定的に装着された第五カムが設置され、前記錠剤搬送管の中には第二隙間が下方から上方へと上下配列になるように設置され、
前記第二軸スリーブが前記第五旋転軸に沿って上下に摺動する時、前記第二引掛ピンの左端は前記第五旋転軸の外面と密着し、前記第二ばねは圧縮され、前記第二引掛ピンが前記第二引掛溝の中に入った時、前記第二引掛ピンと前記第二引掛溝との引掛りによる連結で、前記第二軸スリーブは前記第二引掛溝とともに回転し、前記第五カムには錠剤が重ね、前記錠剤搬送管に上下配列された前記第二隙間の間の距離は錠剤一枚の直径と丁度対応し、前記第二引掛ピンが最も下にある前記第二引掛溝に引っかかるとき、前記第五旋転軸が半周回転し、前記第五カムを最も下にある前記第二隙間から離脱させ、前記第四カムは下方からの二番目の前記第二隙間に入り、錠剤が一枚前記錠剤搬送管の下端口から前記薬取り空間に落下し、他の錠剤は前記第五カムの上方に堆積し、前記第五旋転軸は引き続き半周回転し、前記第五カムが最も下にある前記錠剤搬送管に入り、前記第四カムは下方からの二番目の前記第二隙間から離脱し、錠剤は引き続き前記第五カムの上方に堆積し、錠剤に対する堆積を可能にし、そして、前記第四カムを調節して前記第二引掛ピンを下方からの二番目の前記第二引掛溝に引っかからせるとき、上記操作を繰り返し、前記第五カムは最も下にある前記第二隙間から離脱し、前記第四カムは下方からの三番目の前記第二隙間に入り、二枚の錠剤が前記錠剤搬送管の下端口から前記薬取り空間に落下し、このように、前記第四カムの位置を調節することで、前記第五旋転軸が一回の回転で落下させる錠剤の数を制御し、錠剤に対する定量の投入を可能にすることを特徴とする請求項６に記載の薬を定時に提供できる薬箱。
【請求項８】
前記第五カムの下方には前記第五旋転軸の外面に固定的に装着された第八歯車が設置され、前記第八歯車の右側には前記第三切替装置が設置され、前記第三切替装置の右側には第九歯車が設置され、前記第三切替装置は前記第八歯車と前記第九歯車とを連結して伝動させ、又は離脱させて伝動させないようにすることができ、前記第九歯車は回転可能な第三旋転棒の下端外面に固定的に装着され、前記第三旋転棒は前記第二活動空間の中に設置され、前記第九歯車の上方には第三プーリが固定的に設置され、前記第三プーリの右前側には第四プーリが設置され、前記第三旋転軸の下端は前記第二活動空間の中に延在し、かつ前記第三旋転軸の下端外面には前記第四プーリが固定的に設置され、前記第四プーリと前記第三プーリとは第二ベルトによって伝動を可能にすることを特徴とする請求項５に記載の薬を定時に提供できる薬箱。
【請求項９】
前記漏斗の下方には薬を受け取ることができる本体薬出し箱が設置され、前記本体薬出し箱の下方には本体ベルトが設置され、前記フレームの右下には前記本体薬出し箱を通過させられる本体薬出口が設置され、薬が前記漏斗を通過して前記本体薬出し箱に落下したあと、前記本体ベルトが作動し、前記本体薬出し箱は薬を持って前記本体薬出口を通過して外部へ辿り、薬出しを可能にすることを特徴とする請求項１に記載の薬を定時に提供できる薬箱。
【発明の詳細な説明】
【技術分野】
【０００１】
本願発明は医用分野を取り上げ、特に薬を定時に提供できる薬箱に関わる。
【背景技術】
【０００２】
生活において、健康問題は疎かにできないことであり、優れた体調があってこそ、人々は日常を堪能し、未来を切り開き、夢を叶える。しかし、年月の重ねにつれ、健康問題は段々と増えていき、自然と薬なども離さずに持ち歩くようになる。問題は、多くの人にとって、定時に薬を取って飲むことは手間がかかり、また、忘れがちでもあるため、薬の飲む時間と分量を間違ったりして、なかなか病が治らず、体調不良が常態になる。そのため、上記問題を解決できる薬を定時に提供できる薬箱を設計する必要がある。
【先行技術文献】
【特許文献】
【０００３】
【特許文献１】中国特許出願公開第１０６１７４９８５号明細書
【発明の概要】
【発明が解決しようとする課題】
【０００４】
薬を定時に提供できる薬箱を提供し、既存技術における上記問題を解消し、設備の実用性を向上させることを目的とする。
【課題を解決するための手段】
【０００５】
上記の問題を解決するため、本願は以下の技術的解決策を提供する。
【０００６】
本願に記載の薬を定時に提供できる薬箱は、本体を含み、前記本体の上面にはカプセル保存箱が固定的に設置され、前記カプセル保存箱の右側には錠剤保存箱が設置され、前記本体の下端外表面にはフレームが固定的に設置され、前記フレームの中には薬取り空間が設置され、前記薬取り空間の中には漏斗が設置され、前記漏斗は前記カプセル保存箱の下端外表面に固定的に装着され、前記カプセル保存箱の中には上方に開口するカプセル保存空間が設置され、前記カプセル保存空間の左下端にはカプセル投入口が設置され、前記カプセル投入口からはカプセル一つしか通過できなく、前記カプセル保存空間の下方には前記本体の内部に位置する伝動空間が設置され、前記カプセル保存箱の左側にはカプセル搬送管が貫通になるように設置され、前記カプセル搬送管は前記カプセル投入口を通じて前記カプセル保存空間と連通し、前記カプセル搬送管は前記本体を貫通して前記薬取り空間と前記カプセル保存空間とを連通し、前記本体の左上端外表面には前記カプセル搬送管の外面と密着するエアポンプが固定的に設置され、前記エアポンプはカプセルの投入を補助でき、前記カプセル搬送管の左側外面と前記エアポンプとは密着し、かつ前記カプセル搬送管において前記エアポンプとの接触部には貫通穴が貫通になるように設置され、前記カプセル搬送管の右側には第一活動空間が設置され、前記第一活動空間の中には定量にカプセルを投入できるカプセル定量投入機構が固定的に設置され、前記カプセル定量投入機構は回転可能な第一旋転軸を含み、前記第一旋転軸には第一引掛溝が上下配列になるように形成され、前記第一旋転軸の外面には第一軸スリーブが摺動可能に設置され、前記第一軸スリーブの上端外面には第一カムが固定的に設置され、前記第一軸スリーブの下側には第二カムが設置され、前記第二カムは前記第一旋転軸の外面に固定的に装着され、前記カプセル搬送管には前記漏斗に近接する一端から上方へ第一隙間が上下配列になるように設置され、前記第一カムは前記第一隙間を通過でき、前記第二カムはそれとは別の前記第一隙間を通過でき、前記第二カムの下側には前記第一旋転軸の外面に固定的に装着された第一歯車が固定的に装着され、前記第一歯車の右側には設備全体の作業モードを切り替えることができる第一切替装置が設置され、前記第一切替装置の右側にはモータ伝動機構が設置され、前記モータ伝動機構は第二歯車を含み、前記第二歯車の右側には第三歯車が噛み合い、前記第三歯車は回転可能な第二旋転軸に固定的に装着され、前記第二旋転軸は前記カプセル保存空間の中に延在し、前記第二旋転軸の上端外面にはカプセル回転盤が固定的に設置され、前記カプセル回転盤は前記カプセル保存空間の内部下端に位置し、
前記カプセル保存空間にカプセルは入れられ、前記第二旋転軸が回転して前記カプセル回転盤を駆動して回転させ、遠心力でカプセルは前記カプセル回転盤の縁部に移動し、前記エアポンプは断続的に作動し、カプセルを一つ前記カプセル投入口から吸い取って前記貫通穴と密着させ、そして前記エアポンプは一時的に止め、カプセルは前記カプセル搬送管の下端に落下し、前記第二カムに止められ、そしてカプセルが一つ一つ前記カプセル搬送管の中で重なり、カプセルの投入を可能とする。
【０００７】
好ましくは、前記カプセル定量投入機構はさらに引掛ピンを含み、前記引掛ピンは前記第一軸スリーブの中で左右に摺動でき、前記引掛ピンの右側には第一ばねが固定的に設置され、前記引掛ピンの左端は前記第一引掛溝と密着し、前記引掛ピンと前記第一引掛溝との密着状態及び前記引掛ピンが前記第一ばねに対する圧迫によって、前記第一軸スリーブは前記第一旋転軸に沿って上下に摺動でき、摺動中に前記引掛ピンの左端は前記第一旋転軸の外面と密着し、前記第一ばねは圧縮され、前記引掛ピンが前記第一引掛溝の中に入った時、前記引掛ピンと前記第一引掛溝との引掛りによる連結で、前記第一軸スリーブは前記第一旋転軸とともに回転し、前記第二カムにはカプセルが重ね、前記カプセル搬送管に上下配列された前記第一隙間の間の距離はカプセル一つの高度と丁度対応し、前記引掛ピンが最も下にあるの前記第一引掛溝に引っ掛かるとき、前記第一旋転軸が半周回転し、前記第二カムを最も下にある前記第一隙間から離脱させ、そして前記第一カムは下方からの二番目の前記第一隙間に入り、一つのカプセルは前記カプセル搬送管の下端口から前記薬取り空間の中に落下し、他のカプセルは前記第一カムの上方に堆積し、前記第一旋転軸は引き続き半周回転し、前記第二カムは最も下にある前記第一隙間に入り、前記第一カムは下方からの二番目の前記第一隙間から離脱し、カプセルは引き続き前記第二カムの上方に堆積し、カプセルに対する堆積を可能にし、そして、前記カプセル定量投入機構を調整して前記引掛ピンを下方からの二番目の前記第一引掛溝に引っかからせるとき、上記操作を繰り返し、前記第二カムは最も下にある前記第一隙間から離脱し、前記第一カムは下方からの三番目の前記第一隙間に入り、二つのカプセルは前記カプセル搬送管の下端口から前記薬取り空間の中に落下し、このように前記カプセル定量投入機構の位置を調節することで、前記第一旋転軸が一回の回転で落下させるカプセルの数を制御し、カプセルに対する定量投入を可能にする。
【０００８】
好ましくは、前記第一切替装置は前記第一歯車と噛み合った小型歯車と、前記第一活動空間の下端内壁に固定的に装着された第一固定ブロックとを含み、前記第一固定ブロックの中には昇降空間が設置され、前記昇降空間の前端には前記第一活動空間と連通する第一摺動空間が設置され、前記昇降空間の中には上下摺動可能な昇降ブロックが設置され、前記昇降ブロックには回転可能な第一旋転棒が設置され、前記小型歯車は前記第一旋転棒の上端外面に固定的に設置され、前記第一摺動空間の中には前後移動可能な支持棒が設置され、前記第一活動空間の前端には外部と連通する摺動空間が設置され、前記支持棒は前記摺動空間から外部まで延在し、前記摺動空間の下方には前記本体の中に位置する固定空間が設置され、前記固定空間の中には支持棒固定ブロックが固定的に設置され、前記支持棒固定ブロックは前記摺動空間の下端外面に装着され、
前記支持棒固定ブロックが前記固定空間の後壁と密着するときに、前記支持棒が後方へ移動して前記昇降ブロックを押し上げ、そして前記昇降ブロックは前記昇降空間の上壁と密着し、前記小型歯車は前記第一歯車と噛み合い、前記支持棒固定ブロックが前記固定空間の前壁と密着するときに、前記小型歯車は前記第一歯車との噛合状態から離脱し、前記第一切替装置を通じて前記第一切替装置の両側にある歯車を連結して伝動させる又は離脱させて伝動させないことができ、前記第一切替装置と完全一致な構成を有する装置は設備全体においてさらにもう二つあり、それぞれは第二切替装置と第三切替装置である。
【０００９】
好ましくは、前記モータ伝動機構はさらに前記第一活動空間の中に固定的に設置されたモータを含み、前記モータの下方には回転可能なモータ主軸が設置され、前記第二歯車は前記モータ主軸に固定的に装着され、前記第一歯車が前記小型歯車と噛み合うとき、前記モータが作動して前記第一旋転軸と前記第二旋転軸とを回転させ、設備にカプセルに対する堆積と投入作業を行わせる。
【００１０】
好ましくは、前記錠剤保存箱の中には錠剤を保存できる錠剤保存空間が設置され、前記錠剤保存空間の下方には前記本体の中に装着された第二昇降空間が設置され、前記錠剤保存空間の中には前記錠剤保存空間の下側内壁と密着する錠剤昇降ブロックが設置され、前記錠剤昇降ブロックの下方には連結棒が固定的に設置され、前記連結棒は前記錠剤保存箱の下側内壁を貫通して前記第二昇降空間に延在し、前記連結棒の下端には昇降板が固定的に設置され、前記昇降板は前記第二昇降空間の内壁と密着してかつ上下方向にしか摺動できなく、前記昇降板の下方には前記昇降板を支持できる第三カムが設置され、前記第三カムは回転可能な第二旋転棒の後端外面に固定的に装着され、前記第二旋転棒は前記第二昇降空間の前側内壁に設置され、前記第三カムの前側には前記第二旋転棒の外面に固定的に装着された第六歯車が設置され、前記第六歯車の左側には回転可能な第三旋転軸が設置され、前記第三旋転軸は前記第二昇降空間の下端内壁に装着され、前記第三旋転軸の上端外面には前記第六歯車と噛み合った第七歯車が固定的に設置され、前記第七歯車の下方には前記第三旋転軸の外面に固定的に装着された第一プーリが設置されている。
【００１１】
好ましくは、前記伝動空間の中には前記第二旋転軸の上側外面に固定的に装着された第五歯車が設置され、前記第五歯車の右側には前記伝動空間の下端内壁に固定的に装着された前記第二切替装置が設置され、前記第二切替装置の右前側には前記第三切替装置が設置され、前記第三切替装置は回転可能な第四旋転軸の上側外面に固定的に装着され、前記第四旋転軸の下端外面には第二プーリが固定的に設置され、前記第二プーリは第一ベルトで前記第三旋転軸との伝動を可能にし、前記第三切替装置の上方には前記第四旋転軸の上端外面に固定的に装着された第一傘歯車が設置され、前記第一傘歯車の右側には回転盤が噛み合うように設置され、前記回転盤は回転可能な回転盤回転軸の後側外端面に固定的に装着され、前記回転盤回転軸は前記伝動空間の前側内壁に固定的に装着され、前記回転盤の後側外端面には前記回転盤回転軸を円心に円周になるよう配置された小型円柱が固定的に設置されている。
【００１２】
好ましくは、前記錠剤保存空間には錠剤投入口が貫通になるように、かつ固定的に設置され、前記錠剤投入口からは錠剤一枚しか通過できなく、前記錠剤保存箱の左側には錠剤投入管が貫通になるように、かつ固定的に設置され、前記錠剤投入管の一端は前記錠剤投入口と正対し、かつ前記錠剤投入口を通じて前記錠剤保存空間と連通し、前記錠剤投入管の下方には搬送円盤が設置され、前記搬送円盤は回転可能な円盤回転軸の外面に固定的に装着され、前記円盤回転軸は前記本体の中に装着され、前記搬送円盤には前記円盤回転軸を円心に六つの錠剤溝が円周になるように形成され、かつ前記錠剤溝には錠剤一枚しか収納できなく、前記搬送円盤の下方には前記薬取り空間と連通する錠剤搬送管が固定的に設置され、前記搬送円盤の左側には第二固定ブロックが固定的に設置され、前記第二固定ブロックは錠剤の落下を防止でき、前記第二固定ブロックは前記伝動空間の下端内壁に固定的に装着され、前記錠剤投入管の左側には前記搬送円盤の外面と密着する揺動ブロックが設置され、前記揺動ブロックは回転可能な円棒の外面に固定的に装着され、前記円棒は前記伝動空間の前側内壁に固定的に装着され、前記揺動ブロックの左側外面には揺動アームが固定的に設置され、前記揺動アームは前記回転盤の後側に位置し、
前記回転盤が回転する時、前記小型円柱は駆動されて回転し、前記揺動アームに衝突し、そして前記揺動ブロックは前記揺動アームを円心に揺れ動き、前記揺動ブロックが揺れ動くことで前記搬送円盤を回転させ、そして前記錠剤溝の中にある錠剤を前記錠剤搬送管に送る。
【００１３】
好ましくは、前記錠剤搬送管の右側には第二活動空間が設置され、前記第二活動空間の中には回転可能な第五旋転軸が設置され、前記第五旋転軸は前記第二活動空間の下端内壁に装着され、前記第五旋転軸には第二引掛溝が下方から上方へと配列され、前記第五旋転軸の下側外面には第二軸スリーブが設置され、前記第二軸スリーブは前記第五旋転軸に沿って上下に摺動でき、前記第二軸スリーブの上端外面には第四カムが固定的に設置され、前記第二軸スリーブの内部下側には第二ばね空間が設置され、前記第二ばね空間の右側内壁には第二ばねが固定的に設置され、前記第二ばねの左端には第二引掛ピンが固定的に設置され、前記第二軸スリーブの下方には前記第二引掛溝の外面に固定的に装着された第五カムが設置され、前記錠剤搬送管の中には第二隙間が下方から上方へと上下配列になるように設置され、
前記第二軸スリーブが前記第五旋転軸に沿って上下に摺動する時、前記第二引掛ピンの左端は前記第五旋転軸の外面と密着し、前記第二ばねは圧縮され、前記第二引掛ピンが前記第二引掛溝の中に入った時、前記第二引掛ピンと前記第二引掛溝との引掛りによる連結で、前記第二軸スリーブは前記第二引掛溝とともに回転し、前記第五カムには錠剤が重ね、前記錠剤搬送管に上下配列された前記第二隙間の間の距離は錠剤一枚の直径と丁度対応し、前記第二引掛ピンが最も下にある前記第二引掛溝に引っかかるとき、前記第五旋転軸が半周回転し、前記第五カムを最も下にある前記第二隙間から離脱させ、前記第四カムは下方からの二番目の前記第二隙間に入り、錠剤が一枚前記錠剤搬送管の下端口から前記薬取り空間に落下し、他の錠剤は前記第五カムの上方に堆積し、前記第五旋転軸は引き続き半周回転し、前記第五カムが最も下にある前記錠剤搬送管に入り、前記第四カムは下方からの二番目の前記第二隙間から離脱し、錠剤は引き続き前記第五カムの上方に堆積し、錠剤に対する堆積を可能にし、そして、前記第四カムを調節して前記第二引掛ピンを下方からの二番目の前記第二引掛溝に引っかからせるとき、上記操作を繰り返し、前記第五カムは最も下にある前記第二隙間から離脱し、前記第四カムは下方からの三番目の前記第二隙間に入り、二枚の錠剤が前記錠剤搬送管の下端口から前記薬取り空間に落下し、このように、前記第四カムの位置を調節することで、前記第五旋転軸が一回の回転で落下させる錠剤の数を制御し、錠剤に対する定量の投入を可能にする。
【００１４】
好ましくは、前記第五カムの下方には前記第五旋転軸の外面に固定的に装着された第八歯車が設置され、前記第八歯車の右側には前記第三切替装置が設置され、前記第三切替装置の右側には第九歯車が設置され、前記第三切替装置は前記第八歯車と前記第九歯車とを連結して伝動させ、又は離脱させて伝動させないようにすることができ、前記第九歯車は回転可能な第三旋転棒の下端外面に固定的に装着され、前記第三旋転棒は前記第二活動空間の中に設置され、前記第九歯車の上方には第三プーリが固定的に設置され、前記第三プーリの右前側には第四プーリが設置され、前記第三旋転軸の下端は前記第二活動空間の中に延在し、かつ前記第三旋転軸の下端外面には前記第四プーリが固定的に設置され、前記第四プーリと前記第三プーリとは第二ベルトによって伝動を可能にする。
【００１５】
好ましくは、前記漏斗の下方には薬を受け取ることができる本体薬出し箱が設置され、前記本体薬出し箱の下方には本体ベルトが設置され、前記フレームの右下には前記本体薬出し箱を通過させられる本体薬出口が設置され、薬が前記漏斗を通過して前記本体薬出し箱に落下したあと、前記本体ベルトが作動し、前記本体薬出し箱は薬を持って前記本体薬出口を通過して外部へ辿り、薬出しを可能にする。
【発明の効果】
【００１６】
本願発明は以下のプラス効果を有する：本願に記載の薬を定時に提供できる薬箱は、定時定量に薬を提供でき、最も一般的な薬形態であるカプセルと錠剤とに対し、別々に薬保存と薬提供の機構を設計し、混在を避け、設備の中にはさらに切替装置が三つ設置され、設備をカプセル投入、カプセルと錠剤との同時投入と、カプセルの投入及び提供と、カプセルの投入と錠剤の投入及び提供、とを切替でき、異なる薬品の服用時間を調節でき、適用性を向上させられる。
【図面の簡単な説明】
【００１７】
下記に図１〜６を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本願発明の全体構成略図
【図２】図２は図１におけるＡ―Ａの構成略図
【図３】図３は図１におけるＢ―Ｂの構成略図
【図４】図４は図１におけるＣの拡大構成略図
【図５】図５は図１におけるＤの拡大構成略図
【図６】図６は図１におけるＥの拡大構成略図
【発明を実施するための形態】
【００１９】
図１〜６を合わせ、本願に記載の薬を定時に提供できる薬箱は、本体１０を含み、前記本体１０の上面にはカプセル保存箱１２が固定的に設置され、前記カプセル保存箱１２の右側には錠剤保存箱１１が設置され、前記本体１０の下端外表面にはフレーム２４が固定的に設置され、前記フレーム２４の中には薬取り空間２５が設置され、前記薬取り空間２５の中には漏斗２６が設置され、前記漏斗２６は前記カプセル保存箱１２の下端外表面に固定的に装着され、前記カプセル保存箱１２の中には上方に開口するカプセル保存空間１６が設置され、前記カプセル保存空間１６の左下端にはカプセル投入口１７が設置され、前記カプセル投入口１７からはカプセル一つしか通過できなく、前記カプセル保存空間１６の下方には前記本体１０の内部に位置する伝動空間３６が設置され、前記カプセル保存箱１２の左側にはカプセル搬送管１３が貫通になるように設置され、前記カプセル搬送管１３は前記カプセル投入口１７を通じて前記カプセル保存空間１６と連通し、前記カプセル搬送管１３は前記本体１０を貫通して前記薬取り空間２５と前記カプセル保存空間１６とを連通し、前記本体１０の左上端外表面には前記カプセル搬送管１３の外面と密着するエアポンプ１５が固定的に設置され、前記エアポンプ１５はカプセルの投入を補助でき、前記カプセル搬送管１３の左側外面と前記エアポンプ１５とは密着し、かつ前記カプセル搬送管１３において前記エアポンプ１５との接触部には貫通穴１４が貫通になるように設置され、前記カプセル搬送管１３の右側には第一活動空間８３が設置され、前記第一活動空間８３の中には定量にカプセルを投入できるカプセル定量投入機構１８が固定的に設置され、前記カプセル定量投入機構１８は回転可能な第一旋転軸１９を含み、前記第一旋転軸１９には第一引掛溝２０が上下配列になるように形成され、前記第一旋転軸１９の外面には第一軸スリーブ２１が摺動可能に設置され、前記第一軸スリーブ２１の上端外面には第一カム２２が固定的に設置され、前記第一軸スリーブ２１の下側には第二カム２３が設置され、前記第二カム２３は前記第一旋転軸１９の外面に固定的に装着され、前記カプセル搬送管１３には前記漏斗２６に近接する一端から上方へ第一隙間２７が上下配列になるように設置され、前記第一カム２２は前記第一隙間２７を通過でき、前記第二カム２３はそれとは別の前記第一隙間２７を通過でき、前記第二カム２３の下側には前記第一旋転軸１９の外面に固定的に装着された第一歯車２８が固定的に装着され、前記第一歯車２８の右側には設備全体の作業モードを切り替えることができる第一切替装置２９が設置され、前記第一切替装置２９の右側にはモータ伝動機構３０が設置され、前記モータ伝動機構３０は第二歯車３１を含み、前記第二歯車３１の右側には第三歯車３２が噛み合い、前記第三歯車３２は回転可能な第二旋転軸３３に固定的に装着され、前記第二旋転軸３３は前記カプセル保存空間１６の中に延在し、前記第二旋転軸３３の上端外面にはカプセル回転盤３４が固定的に設置され、前記カプセル回転盤３４は前記カプセル保存空間１６の内部下端に位置し、
前記カプセル保存空間１６にカプセルは入れられ、前記第二旋転軸３３が回転して前記カプセル回転盤３４を駆動して回転させ、遠心力でカプセルは前記カプセル回転盤３４の縁部に移動し、前記エアポンプ１５は断続的に作動し、カプセルを一つ前記カプセル投入口１７から吸い取って前記貫通穴１４と密着させ、そして前記エアポンプ１５は一時的に止め、カプセルは前記カプセル搬送管１３の下端に落下し、前記第二カム２３に止められ、そしてカプセルが一つ一つ前記カプセル搬送管１３の中で重なり、カプセルの投入を可能とする。
【００２０】
好ましくは、前記カプセル定量投入機構１８はさらに引掛ピン３７を含み、前記引掛ピン３７は前記第一軸スリーブ２１の中で左右に摺動でき、前記引掛ピン３７の右側には第一ばね３８が固定的に設置され、前記引掛ピン３７の左端は前記第一引掛溝２０と密着し、前記引掛ピン３７と前記第一引掛溝２０との密着状態及び前記引掛ピン３７が前記第一ばね３８に対する圧迫によって、前記第一軸スリーブ２１は前記第一旋転軸１９に沿って上下に摺動でき、摺動中に前記引掛ピン３７の左端は前記第一旋転軸１９の外面と密着し、前記第一ばね３８は圧縮され、前記引掛ピン３７が前記第一引掛溝２０の中に入った時、前記引掛ピン３７と前記第一引掛溝２０との引掛りによる連結で、前記第一軸スリーブ２１は前記第一旋転軸１９とともに回転し、前記第二カム２３にはカプセルが重ね、前記カプセル搬送管１３に上下配列された前記第一隙間２７の間の距離はカプセル一つの高度と丁度対応し、前記引掛ピン３７が最も下にあるの前記第一引掛溝２０に引っ掛かるとき、前記第一旋転軸１９が半周回転し、前記第二カム２３を最も下にある前記第一隙間２７から離脱させ、そして前記第一カム２２は下方からの二番目の前記第一隙間２７に入り、一つのカプセルは前記カプセル搬送管１３の下端口から前記薬取り空間２５の中に落下し、他のカプセルは前記第一カム２２の上方に堆積し、前記第一旋転軸１９は引き続き半周回転し、前記第二カム２３は最も下にある前記第一隙間２７に入り、前記第一カム２２は下方からの二番目の前記第一隙間２７から離脱し、カプセルは引き続き前記第二カム２３の上方に堆積し、カプセルに対する堆積を可能にし、そして、前記カプセル定量投入機構１８を調整して前記引掛ピン３７を下方からの二番目の前記第一引掛溝２０に引っかからせるとき、上記操作を繰り返し、前記第二カム２３は最も下にある前記第一隙間２７から離脱し、前記第一カム２２は下方からの三番目の前記第一隙間２７に入り、二つのカプセルは前記カプセル搬送管１３の下端口から前記薬取り空間２５の中に落下し、このように前記カプセル定量投入機構１８の位置を調節することで、前記第一旋転軸１９が一回の回転で落下させるカプセルの数を制御し、カプセルに対する定量投入を可能にする。
【００２１】
好ましくは、前記第一切替装置２９は前記第一歯車２８と噛み合った小型歯車３９と、前記第一活動空間８３の下端内壁に固定的に装着された第一固定ブロック４０とを含み、前記第一固定ブロック４０の中には昇降空間４１が設置され、前記昇降空間４１の前端には前記第一活動空間８３と連通する第一摺動空間４２が設置され、前記昇降空間４１の中には上下摺動可能な昇降ブロック４３が設置され、前記昇降ブロック４３には回転可能な第一旋転棒４７が設置され、前記小型歯車３９は前記第一旋転棒４７の上端外面に固定的に設置され、前記第一摺動空間４２の中には前後移動可能な支持棒４４が設置され、前記第一活動空間８３の前端には外部と連通する摺動空間４５が設置され、前記支持棒４４は前記摺動空間４５から外部まで延在し、前記摺動空間４５の下方には前記本体１０の中に位置する固定空間４６が設置され、前記固定空間４６の中には支持棒固定ブロック４８が固定的に設置され、前記支持棒固定ブロック４８は前記摺動空間４５の下端外面に装着され、
前記支持棒固定ブロック４８が前記固定空間４６の後壁と密着するときに、前記支持棒４４が後方へ移動して前記昇降ブロック４３を押し上げ、そして前記昇降ブロック４３は前記昇降空間４１の上壁と密着し、前記小型歯車３９は前記第一歯車２８と噛み合い、前記支持棒固定ブロック４８が前記固定空間４６の前壁と密着するときに、前記小型歯車３９は前記第一歯車２８との噛合状態から離脱し、前記第一切替装置２９を通じて前記第一切替装置２９の両側にある歯車を連結して伝動させる又は離脱させて伝動させないことができ、前記第一切替装置２９と完全一致な構成を有する装置は設備全体においてさらにもう二つあり、それぞれは第二切替装置５４と第三切替装置５５である。
【００２２】
好ましくは、前記モータ伝動機構３０はさらに前記第一活動空間８３の中に固定的に設置されたモータ５０を含み、前記モータ５０の下方には回転可能なモータ主軸５１が設置され、前記第二歯車３１は前記モータ主軸５１に固定的に装着され、前記第一歯車２８が前記小型歯車３９と噛み合うとき、前記モータ５０が作動して前記第一旋転軸１９と前記第二旋転軸３３とを回転させ、設備にカプセルに対する堆積と投入作業を行わせる。  
【００２３】
好ましくは、前記錠剤保存箱１１の中には錠剤を保存できる錠剤保存空間５６が設置され、前記錠剤保存空間５６の下方には前記本体１０の中に装着された第二昇降空間５８が設置され、前記錠剤保存空間５６の中には前記錠剤保存空間５６の下側内壁と密着する錠剤昇降ブロック５７が設置され、前記錠剤昇降ブロック５７の下方には連結棒５９が固定的に設置され、前記連結棒５９は前記錠剤保存箱１１の下側内壁を貫通して前記第二昇降空間５８に延在し、前記連結棒５９の下端には昇降板６０が固定的に設置され、前記昇降板６０は前記第二昇降空間５８の内壁と密着してかつ上下方向にしか摺動できなく、前記昇降板６０の下方には前記昇降板６０を支持できる第三カム６１が設置され、前記第三カム６１は回転可能な第二旋転棒６２の後端外面に固定的に装着され、前記第二旋転棒６２は前記第二昇降空間５８の前側内壁に設置され、前記第三カム６１の前側には前記第二旋転棒６２の外面に固定的に装着された第六歯車６３が設置され、前記第六歯車６３の左側には回転可能な第三旋転軸６４が設置され、前記第三旋転軸６４は前記第二昇降空間５８の下端内壁に装着され、前記第三旋転軸６４の上端外面には前記第六歯車６３と噛み合った第七歯車６５が固定的に設置され、前記第七歯車６５の下方には前記第三旋転軸６４の外面に固定的に装着された第一プーリ６６が設置されている。
【００２４】
好ましくは、前記伝動空間３６の中には前記第二旋転軸３３の上側外面に固定的に装着された第五歯車５３が設置され、前記第五歯車５３の右側には前記伝動空間３６の下端内壁に固定的に装着された前記第二切替装置５４が設置され、前記第二切替装置５４の右前側には前記第三切替装置５５が設置され、前記第三切替装置５５は回転可能な第四旋転軸６８の上側外面に固定的に装着され、前記第四旋転軸６８の下端外面には第二プーリ６９が固定的に設置され、前記第二プーリ６９は第一ベルト６７で前記第三旋転軸６４との伝動を可能にし、前記第三切替装置５５の上方には前記第四旋転軸６８の上端外面に固定的に装着された第一傘歯車７０が設置され、前記第一傘歯車７０の右側には回転盤７１が噛み合うように設置され、前記回転盤７１は回転可能な回転盤回転軸７２の後側外端面に固定的に装着され、前記回転盤回転軸７２は前記伝動空間３６の前側内壁に固定的に装着され、前記回転盤７１の後側外端面には前記回転盤回転軸７２を円心に円周になるよう配置された小型円柱７３が固定的に設置されている。
【００２５】
好ましくは、前記錠剤保存空間５６には錠剤投入口７４が貫通になるように、かつ固定的に設置され、前記錠剤投入口７４からは錠剤一枚しか通過できなく、前記錠剤保存箱１１の左側には錠剤投入管７５が貫通になるように、かつ固定的に設置され、前記錠剤投入管７５の一端は前記錠剤投入口７４と正対し、かつ前記錠剤投入口７５を通じて前記錠剤保存空間５６と連通し、前記錠剤投入管７５の下方には搬送円盤７６が設置され、前記搬送円盤７６は回転可能な円盤回転軸７７の外面に固定的に装着され、前記円盤回転軸７７は前記本体１０の中に装着され、前記搬送円盤７６には前記円盤回転軸７７を円心に六つの錠剤溝７８が円周になるように形成され、かつ前記錠剤溝７８には錠剤一枚しか収納できなく、前記搬送円盤７６の下方には前記薬取り空間２５と連通する錠剤搬送管７９が固定的に設置され、前記搬送円盤７６の左側には第二固定ブロック８０が固定的に設置され、前記第二固定ブロック８０は錠剤の落下を防止でき、前記第二固定ブロック８０は前記伝動空間３６の下端内壁に固定的に装着され、前記錠剤投入管７５の左側には前記搬送円盤７６の外面と密着する揺動ブロック８１が設置され、前記揺動ブロック８１は回転可能な円棒４９の外面に固定的に装着され、前記円棒４９は前記伝動空間３６の前側内壁に固定的に装着され、前記揺動ブロック８１の左側外面には揺動アーム８２が固定的に設置され、前記揺動アーム８２は前記回転盤７１の後側に位置し、
前記回転盤７１が回転する時、前記小型円柱７３は駆動されて回転し、前記揺動アーム８２に衝突し、そして前記揺動ブロック８１は前記揺動アーム８２を円心に揺れ動き、前記揺動ブロック８１が揺れ動くことで前記搬送円盤７６を回転させ、そして前記錠剤溝７８の中にある錠剤を前記錠剤搬送管７９に送る。
【００２６】
好ましくは、前記錠剤搬送管７９の右側には第二活動空間８４が設置され、前記第二活動空間８４の中には回転可能な第五旋転軸８５が設置され、前記第五旋転軸８５は前記第二活動空間８４の下端内壁に装着され、前記第五旋転軸８５には第二引掛溝８６が下方から上方へと配列され、前記第五旋転軸８５の下側外面には第二軸スリーブ８７が設置され、前記第二軸スリーブ８７は前記第五旋転軸８５に沿って上下に摺動でき、前記第二軸スリーブ８７の上端外面には第四カム８８が固定的に設置され、前記第二軸スリーブ８７の内部下側には第二ばね空間９１が設置され、前記第二ばね空間９１の右側内壁には第二ばね９０が固定的に設置され、前記第二ばね９０の左端には第二引掛ピン８９が固定的に設置され、前記第二軸スリーブ８７の下方には前記第二引掛溝８６の外面に固定的に装着された第五カム９３が設置され、前記錠剤搬送管７９の中には第二隙間９４が下方から上方へと上下配列になるように設置され、
前記第二軸スリーブ８７が前記第五旋転軸８５に沿って上下に摺動する時、前記第二引掛ピン８９の左端は前記第五旋転軸８５の外面と密着し、前記第二ばね９０は圧縮され、前記第二引掛ピン８９が前記第二引掛溝８６の中に入った時、前記第二引掛ピン８９と前記第二引掛溝８６との引掛りによる連結で、前記第二軸スリーブ８７は前記第二引掛溝８６とともに回転し、前記第五カム９３には錠剤が重ね、前記錠剤搬送管７９に上下配列された前記第二隙間９４の間の距離は錠剤一枚の直径と丁度対応し、前記第二引掛ピン８９が最も下にある前記第二引掛溝８６に引っかかるとき、前記第五旋転軸８５が半周回転し、前記第五カム９３を最も下にある前記第二隙間９４から離脱させ、前記第四カム８８は下方からの二番目の前記第二隙間９４に入り、錠剤が一枚前記錠剤搬送管７９の下端口から前記薬取り空間２５に落下し、他の錠剤は前記第五カム９３の上方に堆積し、前記第五旋転軸８５は引き続き半周回転し、前記第五カム９３が最も下にある前記錠剤搬送管７９に入り、前記第四カム８８は下方からの二番目の前記第二隙間９４から離脱し、錠剤は引き続き前記第五カム９３の上方に堆積し、錠剤に対する堆積を可能にし、そして、前記第四カム８８を調節して前記第二引掛ピン８９を下方からの二番目の前記第二引掛溝８６に引っかからせるとき、上記操作を繰り返し、前記第五カム９３は最も下にある前記第二隙間９４から離脱し、前記第四カム８８は下方からの三番目の前記第二隙間９４に入り、二枚の錠剤が前記錠剤搬送管７９の下端口から前記薬取り空間２５に落下し、このように、前記第四カム８８の位置を調節することで、前記第五旋転軸８５が一回の回転で落下させる錠剤の数を制御し、錠剤に対する定量の投入を可能にする。
【００２７】
好ましくは、前記第五カム９３の下方には前記第五旋転軸８５の外面に固定的に装着された第八歯車９２が設置され、前記第八歯車９２の右側には前記第三切替装置５５が設置され、前記第三切替装置５５の右側には第九歯車９５が設置され、前記第三切替装置５５は前記第八歯車９２と前記第九歯車９５とを連結して伝動させ、又は離脱させて伝動させないようにすることができ、前記第九歯車９５は回転可能な第三旋転棒９６の下端外面に固定的に装着され、前記第三旋転棒９６は前記第二活動空間８４の中に設置され、前記第九歯車９５の上方には第三プーリ９７が固定的に設置され、前記第三プーリ９７の右前側には第四プーリ９８が設置され、前記第三旋転軸６４の下端は前記第二活動空間８４の中に延在し、かつ前記第三旋転軸６４の下端外面には前記第四プーリ９８が固定的に設置され、前記第四プーリ９８と前記第三プーリ９７とは第二ベルト９９によって伝動を可能にする。
【００２８】
好ましくは、前記漏斗２６の下方には薬を受け取ることができる本体薬出し箱１０２が設置され、前記本体薬出し箱１０２の下方には本体ベルト１０１が設置され、前記フレーム２４の右下には前記本体薬出し箱１０２を通過させられる本体薬出口１０３が設置され、薬が前記漏斗２６を通過して前記本体薬出し箱１０２に落下したあと、前記本体ベルト１０１が作動し、前記本体薬出し箱１０２は薬を持って前記本体薬出口１０３を通過して外部へ辿り、薬出しを可能にする。
【００２９】
本願発明は以下のプラス効果を有する：本願に記載の薬を定時に提供できる薬箱は、定時定量に薬を提供でき、最も一般的な薬形態であるカプセルと錠剤とに対し、別々に薬保存と薬提供の機構を設計し、混在を避け、設備の中にはさらに切替装置が三つ設置され、設備をカプセル投入、カプセルと錠剤との同時投入と、カプセルの投入及び提供と、カプセルの投入と錠剤の投入及び提供、とを切替でき、異なる薬品の服用時間を調節でき、適用性を向上させられる。
【００３０】
本実施例に記載の固定連結方式はボルト固定や溶接などを含むが、これらに限定されない。
【００３１】
初期状態で、前記第一切替装置２９と、前記第二切替装置５４と、前記第三切替装置５５とにおいて、前記昇降ブロック４３は前記昇降空間４１の下端内壁と密着し、前記第一歯車２８は下方からの一番目の前記第一隙間２７に位置し、前記第五カム９３は下方からの一番目の前記第二隙間９４に位置している。
【００３２】
設備全体の作動手順は以下の通りである。
【００３３】
１、前記錠剤保存箱１１と前記カプセル保存箱１２とに対応する薬品を入れ、前記第二切替装置５４を調節し、手動で前記第二切替装置５４が対応する前記支持棒４４を前方へ押し、前記支持棒４４は前記昇降ブロック４３を押し上げ、前記小型歯車３９は駆動されて上昇し、前記第五歯車５３と前記第三切替装置５５とを噛み合わせ、前記モータ５０を作動させ、そして前記モータ主軸５１は駆動されて回転し、前記第二歯車３１を駆動して回転させ、さらに前記第二旋転軸３３は駆動されて回転し、前記カプセル回転盤３４を駆動して回転させ、カプセルはつれて回転し、遠心力によってカプセルは前記カプセル回転盤３４の縁部に移動し、前記エアポンプ１５は断続的に作動し、毎回カプセルを一つ前記カプセル搬送管１３に送り、送った後に前記エアポンプ１５は一時的に止め、カプセルは前記第二カム２３に落下し、前記カプセル搬送管１３にはカプセルを一つしか通過できなく、カプセルは前記第二カム２３に堆積し、カプセルに対する投入を可能にする。
【００３４】
２、前記第二旋転軸３３が回転して前記第五歯車５３を駆動して回転させ、そして前記第二切替装置５４が対応する前記小型歯車３９を駆動して回転させ、さらに前記第三切替装置５５は駆動されて回転し、前記第四旋転軸６８は駆動されて回転し、前記第二プーリ６９は駆動されて回転し、前記第一プーリ６６は駆動されて回転し、前記第三旋転軸６４は駆動されて回転し、前記第七歯車６５は駆動されて回転し、前記第六歯車６３は駆動されて回転し、前記第二旋転棒６２は駆動されて回転し、前記第三カム６１は駆動されて回転し、そして前記昇降板６０を上下に振動させ、前記錠剤昇降ブロック５７は駆動されて上下に振動し、錠剤を前記錠剤投入口７４に送り、前記錠剤投入管７５には錠剤が一枚しか通過できなく、錠剤は前記錠剤投入口７４から前記錠剤投入管７５に落下し、前記錠剤投入管７５を通じて前記錠剤溝７８に落下し、前記第二プーリ６９が回転して前記第一傘歯車７０を駆動して回転させ、さらに前記回転盤７１は駆動されて回転し、そして前記小型円柱７３は駆動されて前記揺動アーム８２に衝突し、前記揺動ブロック８１に前記円棒４９を円心に揺れ動かせ、前記揺動ブロック８１が揺れ動くことで前記搬送円盤７６を駆動して回転させ、前記錠剤溝７８の中にある錠剤を前記錠剤搬送管７９に送り、錠剤は前記錠剤搬送管７９に落下し、前記第五カム９３で堆積し、前記錠剤搬送管７９には錠剤が一枚しか通過できなく、錠剤は前記第五カム９３で堆積し、錠剤に対する投入を可能にする。
【００３５】
３、前記第一切替装置２９と前記第三切替装置５５が対応する前記支持棒４４とを前方へ押し、前記第一歯車２８と前記第二歯車３１とが噛み合いによって伝動し、前記第八歯車９２と前記第九歯車９５とが噛み合いによって伝動し、前記モータ５０は常規薬物服用時間を基準に断続的に作動し、そして前記モータ主軸５１は駆動されて回転し、前記第二歯車３１は駆動されて回転し、前記第一切替装置２９が対応する前記小型歯車３９は駆動されて回転し、前記第一旋転軸１９は駆動されて回転し、前記第二カム２３は駆動されて回転し、前記第一軸スリーブ２１は駆動されて回転し、前記第一カム２２は駆動されて回転し、カプセルは前記漏斗２６に落下し、毎回落下するカプセルの数は、前記第一軸スリーブ２１の上下位置を調整することで変えられ、当該薬品の毎回服用数に応じてカプセルに対する定量投入を可能にし、前記カプセル回転盤３４が回転し、前記エアポンプ１５は断続的に作動し、消耗された薬品を補充する。
【００３６】
４、前記モータ主軸５１が回転して前記第二歯車３１を駆動して回転させ、そして前記第三歯車３２は駆動されて回転し、さらに前記第二旋転軸３３は駆動されて回転し、さらに前記第五歯車５３は駆動されて回転し、さらに前記第二切替装置５４が対応する前記小型歯車３９は駆動されて回転し、さらに前記第三切替装置５５は駆動されて回転し、さらに前記第四旋転軸６８は駆動されて回転し、さらに前記第二プーリ６９は駆動されて回転し、さらに前記第一プーリ６６は駆動されて回転し、さらに前記第三旋転軸６４は駆動されて回転し、さらに前記第四プーリ９８は駆動されて回転し、さらに前記第三プーリ９７は駆動されて回転し、さらに前記第三旋転棒９６は駆動されて回転し、さらに前記第九歯車９５は駆動されて回転し、さらに前記第三切替装置５５が対応する前記小型歯車３９は駆動されて回転し、さらに前記第八歯車９２は駆動されて回転し、さらに前記第二引掛溝８６は駆動されて回転し、さらに前記第四カム８８は駆動されて回転し、さらに前記第五カム９３は駆動されて回転し、錠剤は前記漏斗２６に落下し、毎回落下する錠剤の数は、前記第二軸スリーブ８７の上下位置を調整することで変えられ、当該薬品の毎回服用数に応じて錠剤に対する定量投入を可能にし、前記錠剤昇降ブロック５７が上下に振動し、前記搬送円盤７６が回転し、消耗された薬品を補充する。
【００３７】
５、薬品が前記漏斗２６に落下し、前記漏斗２６を通じて前記本体薬出し箱１０２に落下し、前記本体ベルト１０１が作動して薬品のある前記本体薬出し箱１０２を前記本体薬出口１０３から外部に送り、薬品を服用したあと、空いた前記本体薬出し箱１０２を前記本体ベルト１０１に戻し、一回の薬服用を完了とする。
【００３８】
６、二種類の薬品の服用時間に差があるとき、例えば、カプセルが朝・昼・夜で服用に対して、錠剤は朝・夜で服用し、この場合、まず朝で薬を服用した後、前記第二切替装置５４が対応する前記支持棒４４を引き出し、前記第二切替装置５４が対応する前記小型歯車３９と前記第五歯車５３とを噛合状態から離脱させ、こうすることで、昼になるとカプセルしか出てこなく、昼で薬を服用したあと、前記第二切替装置５４が対応する前記支持棒４４を戻し、前記第二切替装置５４が対応する前記小型歯車３９と前記第五歯車５３とを噛み合わせ、こうすることで、夜になるとカプセルも錠剤も出され、また、逆も可能であり、朝で薬を服用し、そして前記第一切替装置２９が対応する前記支持棒４４を引き出し、前記第一切替装置２９が対応する前記第一歯車２８と前記第二歯車３１とを噛合状態から離脱させ、こうすることで、昼になると錠剤しか出てこない。
【００３９】
以上の実施例はあくまで本発明の技術的思想と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【図１】
0006932298.tif 000002
【図２】
0006932298.tif 000003
【図３】
0006932298.tif 000004
【図４】
0006932298.tif 000005
【図５】
0006932298.tif 000006
【図６】
0006932298.tif 000007